(57)【要約】      （修正有）【課題】水洗式大便器の大型化を抑えながら、貯水容量の増大を可能にする便器洗浄タンクを提供する。【解決手段】便器洗浄タンクＢは、水洗式大便器Ａの便器本体６０に設けられ、便鉢部に吐水される洗浄水を貯留するためのものであり、便器本体６０における平面視の範囲内に配置される第１タンク１０と、便器本体６０における平面視の範囲内で、第１タンク１０との間に間隔を空けて配置される第２タンク２０と、第１タンク１０と第２タンク２０とを連通状態で連結し、内部が洗浄水を流動させる所定長さの連通路３０となっている連結管２９とを備える。【選択図】図５
2014114630.tif 000002
【特許請求の範囲】
【請求項１】
水洗式大便器の便器本体に設けられ、便鉢部に吐水される洗浄水を貯留するための便器洗浄タンクであって、
前記便器本体における平面視の範囲内に配置される第１タンクと、
前記便器本体における平面視の範囲内で、前記第１タンクとの間に間隔を空けて配置される第２タンクと、
前記第１タンクと前記第２タンクとを連通状態で連結し、内部が前記洗浄水を流動させる所定長さの連通路となっている連結管とを備えていることを特徴とする便器洗浄タンク。
【請求項２】
前記第１タンクと前記第２タンクが、前記連通路において分離可能となっていることを特徴とする請求項１記載の便器洗浄タンク。
【請求項３】
前記連結管が、
前記第１タンク側に設けられた第１接続管と、
前記第２タンク側に設けられ、前記第１接続管に対して軸方向の相対移動を可能に嵌合される第２接続管とを備えて構成されていることを特徴とする請求項１又は請求項２記載の便器洗浄タンク。
【請求項４】
前記第１タンクが、前記第２タンクよりも上方であって前記便鉢部よりも後方の領域に配置され、
前記第１タンクに機能部材が取り付けられていることを特徴とする請求項１ないし請求項３のいずれか１項に記載の便器洗浄タンク。
【発明の詳細な説明】
【技術分野】
【０００１】
本発明は、便器洗浄タンクに関する。
【背景技術】
【０００２】
特許文献１には、水洗式大便器において、便鉢部に吐水される洗浄水を貯留するための便器洗浄タンクを収容する構造が開示されている。便器本体には、便鉢部より後方において上方へ開放された収容空間が形成されており、便器洗浄タンクは、収容空間内に落とし込むようにして収容されている。この便器洗浄タンクは、便器本体の外部に露出させるのではなく、平面視において便器本体の範囲内に収まるように配置されているので、便器本体の外側面形状をシンプルにして美観の向上を図ることができる。
【先行技術文献】
【特許文献】
【０００３】
【特許文献１】特開２００８−２４０４０２号公報
【発明の概要】
【発明が解決しようとする課題】
【０００４】
特許文献１の便器洗浄タンクは、便鉢部よりも後方の領域のみに配置されているので、貯水容量を大きくするためには、便器洗浄タンクを上方へ拡大するか、便器洗浄タンクの平面視形状を大きくする必要がある。しかし、前者の方法では、便鉢部の後方で、便器洗浄タンクが便鉢部よりも大きく上方へ突出した形態となり、水洗式大便器が高さ方向に大型化することになる。また、後者の方法では、水洗式大便器の平面視形状が前後方向あるいは左右方向に大きくなってしまう。
【０００５】
本発明は、上記従来の実情に鑑みてなされたものであって、水洗式大便器の大型化を抑えながら、貯水容量の増大を可能にする便器洗浄タンクを提供することを解決すべき課題としている。
【課題を解決するための手段】
【０００６】
本発明の便器洗浄タンクは、
水洗式大便器の便器本体に設けられ、便鉢部に吐水される洗浄水を貯留するための便器洗浄タンクであって、
前記便器本体における平面視の範囲内に配置される第１タンクと、
前記便器本体における平面視の範囲内で、前記第１タンクとの間に間隔を空けて配置される第２タンクと、
前記第１タンクと前記第２タンクとを連通状態で連結し、内部が前記洗浄水を流動させる所定長さの連通路となっている連結管とを備えていることを特徴とする。
【発明の効果】
【０００７】
便器本体の内部には、便座の高さ、便鉢部の水位、封水部の貯水量、便鉢部に接続された排水路の配索経路確保等の設計条件により、空間（デッドスペース）が存在する。この空間は、便器洗浄タンクを収容するための収容空間の一部として有効利用することが考えられる。しかし、便器本体の内部に便器構成部が存在している場合、便器洗浄タンクを便器本体内に組み付けようとしたときに、便器構成部が邪魔になり、その結果、便器本体内の空間を最大限に活かすことができなくなることが懸念される。
【０００８】
本発明は、便器構成部の存在を勘案した上で便器本体内の空間の有効利用を図るため、便器洗浄タンクを、第１タンクと第２タンクとに分けた上で、この両タンクを所定の長さを有する連結管で連結する構成とした。この構成によれば、便器構成部を挟むように第１タンクと第２タンクを配置することにより、便器本体内の空間を便器洗浄タンクの収容スペースとして有効活用することができる。また、第１タンクと第２タンクは、いずれも、便器本体における平面視の範囲内に配置されている。したがって、本発明の便器洗浄タンクは、水洗式大便器の大型化を抑えながら、貯水容量を増大させることが可能である。
【図面の簡単な説明】
【０００９】
【図１】実施例１の便器洗浄タンクを便器本体に取り付けた状態をあらわす斜視図
【図２】便器洗浄タンクを便器本体に取り付けた状態をあらわす平面図
【図３】便器洗浄タンクを便器本体に取り付けた状態をあらわす断面図
【図４】便器洗浄タンクの断面図
【図５】図２のＸ−Ｘ線断面図
【図６】便器洗浄タンクの第１タンクと第２タンクを分離した状態をあらわす斜視図
【図７】便器洗浄タンクに洗浄水を貯留する過程を模式的にあらわした断面図
【図８】便器洗浄タンクに洗浄水を貯留する過程を模式的にあらわした断面図
【図９】便器洗浄タンクへの洗浄水の貯留が完了した状態を模式的にあらわした断面図
【図１０】便器洗浄タンク内の洗浄水を便鉢部側へ吐水する過程を模式的にあらわした断面図
【図１１】便器洗浄タンク内の洗浄水を便鉢部側へ吐水する過程を模式的にあらわした断面図
【図１２】便器洗浄タンク内の洗浄水を便鉢部側へ吐水する過程を模式的にあらわした断面図
【図１３】便器洗浄タンク内の洗浄水を便鉢部側へ吐水する過程が完了した状態を模式的にあらわした断面図
【発明を実施するための形態】
【００１０】
本発明の便器洗浄タンクは、
前記第１タンクと前記第２タンクが、前記連通路において分離可能となっていてもよい。
この構成によれば、メンテナンス等の際には、必要に応じて第１タンクと第２タンクを分離できるので、利便性が良い。
本発明の便器洗浄タンクは、
前記連結管が、
前記第１タンク側に設けられた第１接続管と、
前記第２タンク側に設けられ、前記第１接続管に対して軸方向の相対移動を可能に嵌合される第２接続管とを備えて構成されていてもよい。
この構成によれば、第１タンクと第２タンクを相対移動させることができるので、便器本体が製造工程において寸法誤差を生じていても、第１タンクと第２タンクを便器本体に対して個別に固定することができる。
【００１１】
本発明の便器洗浄タンクは、
前記第１タンクが、前記第２タンクよりも上方であって前記便鉢部よりも後方の領域に配置され、
前記第１タンクに機能部材が取り付けられていてもよい。
この構成によれば、機能部材が取り付けられている第１タンクは、第２タンクよりも上方であって便鉢部よりも後方の領域に配置されているので、機能部材に対してメンテナンス等を行う場合に、作業を行い易い。
【００１２】
＜実施例１＞
以下、本発明を具体化した実施例１を図１〜図１３を参照して説明する。本実施例１の便器洗浄タンクＢは、水洗式大便器Ａの便器本体６０に設けられ、便器本体６０の便鉢部６１に吐水される洗浄水Ｗを貯留するためのものである。洗浄水Ｗとしては、水道水の他に、井戸水や中水を利用することができる。便器洗浄タンクＢは、水洗式大便器Ａの大型化を抑えながら、洗浄水Ｗの貯水容量を増大させることを実現している。便器洗浄タンクＢは、第１タンク１０、第２タンク２０、電気駆動式のポンプ４０、及び吐水路５０を備えて構成される。
【００１３】
第１タンク１０は、図１に示すように、合成樹脂材からなり洗浄水Ｗを貯留する第１貯水ケース１１と、第１貯水ケース１１を包囲する発泡樹脂材料からなる第１防露材１２とから構成されている。第１防露材１２の断熱機能により、第１タンク１０に洗浄水Ｗが貯留されたときの結露が防止される。第１タンク１０には、第１貯水ケース１１の上壁部の一部を円筒状に上方へ突出させた形態の流入用筒部１３が形成されている。この流入用筒部１３には、図７に示す給水路８５の下流端が接続され、洗浄水Ｗが給水路８５を通って第１貯水ケース１１（第１タンク１０）内に流入するようになっている。
【００１４】
図４，５に示すように、第１タンク１０には、第１貯水ケース１１の底壁部の一部を円筒状に下方へ突出させた形態の第１接続管１４が一体に形成されている。第１タンク１０内の洗浄水Ｗは、第１接続管１４を通って第２タンク２０内に流出するようになっている。
【００１５】
図１に示すように、第１タンク１０の上面には、吸排気部１５（請求項に記載の機能部材）が設けられている。吸排気部１５は、第１タンク１０内に洗浄水Ｗを供給する際に、第１タンク１０及び第２タンク２０内の空気を大気中に排出する。また、吸排気部１５は、第１タンク１０内と第２タンク２０内の洗浄水Ｗが便鉢部６１側へ排出される際に、大気中から空気を第１タンク１０内に流入させることができる。この吸排気部１５により、便器洗浄タンクＢへの洗浄水Ｗの貯留動作が円滑に行われるとともに、便器洗浄タンクＢ内に貯留した洗浄水Ｗの便鉢部６１側への吐水が円滑に行われる。
【００１６】
第１タンク１０の上端面には、フロートスイッチ１６（請求項に記載の機能部材）が取り付けられている。このフロートスイッチ１６は、第１タンク１０が満水状態であるか否かを検知し、その検知信号に応じて、給水路８５に設けた開閉弁８６が開閉する。これにより、第１タンク１０と第２タンク２０に所定量の洗浄水Ｗが貯水される。第１タンク１０と吐水路５０の間にはオーバーフロー管１７が接続され、第１タンク１０内の洗浄水Ｗの水位が設定高さを超えると、オーバーフロー水が、オーバーフロー管１７と吐水路５０を介して後述する便鉢部６１内に排出される。
【００１７】
第２タンク２０は、図４に示すように、合成樹脂材からなり洗浄水Ｗを貯留する第２貯水ケース２１と、第２貯水ケース２１を包囲する発泡樹脂材料からなる上下一対の第２防露材２２とから構成されている。第２防露材２２の断熱機能により、第２タンク２０に洗浄水Ｗが貯留されたときの結露が防止される。第２タンク２０の上方には、上記した第１タンク１０が配置され、両タンク１０，２０は、連結管２９を介して連結されている。
【００１８】
第２タンク２０の上面には、便器洗浄タンクＢを後述する便器本体６０内に配置した際に、後述する便器排水管部６２の凸形状に応じた凹部２３が形成されている。凹部２３は、左右方向における中央部に位置している。第２タンク２０は、便器洗浄タンクＢを便器本体６０内に配置した際に、後述する排水接続管７０との干渉を回避するために、上下両方へ開放された形態の切欠部２４を有している。切欠部２４は、凹部２３より後方（図１において右上方向）に位置している。
【００１９】
第２貯水ケース２１のうち凹部２３よりも後方において切欠部２４を左右両側から挟む部分は、後方へ片持ち状に突出した形態の左右一対の貯水部２５Ｌ，２５Ｒ、となっている。左右両貯水部２５Ｌ，２５Ｒ、は、第２貯水ケース２１のうち凹部２３を包囲する周縁部よりも上方に突出している。この左右両貯水部２５Ｌ，２５Ｒ、は、便器洗浄タンクＢを便器本体６０内に配置した際、排水接続管７０を左右両側から挟むように配置される。
【００２０】
第２タンク２０の右側（図１において奥側）の貯水部２５Ｒの上端面からは、貯水部２５Ｒ内に収容された吸水用接続筒部２６の上端部が、上向きに突出している。同じく、右側の貯水部２５Ｒの上端面には、連通管２７の一方の端部が連通状態で接続されている。この連通管２７の他方の端部は、第１タンク１０の前面に連通状態で接続されている。第２タンク２０に洗浄水Ｗを貯水する際、第２タンク２０内の水位が上昇すると、第２タンク２０の右側の貯水部２５Ｒの上端部に空気が集まるが、この空気は、連通管２７を介して第１タンク１０内に逃がされる。これにより、第２タンク２０の右側の貯水部２５Ｒには、上部に空気溜まりを生じさせることなく満水状態で洗浄水Ｗを貯留することができる。
【００２１】
左側の貯水部２５Ｌには、その上面から上方へ突出する第２接続管２８が一体に形成されている。図４，５に示すように、第２接続管２８内には、第１タンク１０の第１接続管１４が気密状に嵌合されるようになっている。また、第１接続管１４と第２接続管２８は上下方向に相対移動可能である。図４は、上下方向において第１タンク１０が第２タンク２０から最も離間した状態をあらわし、図５は、上下方向において第１タンク１０が第２タンク２０に最も接近した状態をあらわす。第１接続管１４と第２接続管２８は、第１タンク１０（第１貯水ケース１１）と第２タンク２０（第２貯水ケース２１）を、連通状態で且つ上下に分離可能に連結する連結管２９を構成する。
【００２２】
連結管２９の内部は、第１タンク１０と第２タンク２０との間で洗浄水Ｗを流動させるための所定長さを有する連通路３０となっている。連通路３０を水平に切断したときの断面積は、第１タンク１０及び第２タンク２０を水平に切断したときの断面積よりも小さい。連通路３０は、給水路８５を通して便器洗浄タンクＢに供給された洗浄水Ｗが便鉢部６１側へ吐水される際に、洗浄水Ｗの流動経路に沿って第１タンク１０と第２タンク２０を直列に連結し、この直列連結経路に沿って洗浄水Ｗを流動させるための洗浄用流路として機能する。この連通路３０は、第１タンク１０の第１貯水ケース１１と第２タンク２０の第２貯水ケース２１との間で、空気の流動を可能にする。
【００２３】
図４，５に示すように、便器洗浄タンクＢの内部には、通気管３１が収容されている。通気管３１は、図示しない取付け手段により、第１貯水ケース１１の内面に固定されている。固定された通気管３１は、軸線を上下方向、つまり連結管２９（連通路３０）と平行に向けている。通気管３１の下端部は連通路３０の内部に収容され、通気管３１のうち連通路３０よりも上方の領域は、第１タンク１０内に収容されている。
【００２４】
通気管３１の内部は、上下両端が開放されて空気の流動を可能にした通気路３２となっている。図９に示すように、通気管３１（通気路３２）の上端は、第１貯水ケース１１の内部において、第１タンク１０の最大貯水時の水位よりも高い位置で上向きに開口している。通気管３１の下端は、連通路３０内において連通路３０（第２接続管２８）の下端よりも高い位置で、第２貯水ケース２１の内部に向かって下向きに開口している。したがって、通気管３１の下端の開口は、第２貯水ケース２１の最大貯水時の水位よりも高い位置において、第２タンク２０内と連通するように開口している。
【００２５】
ポンプ４０は、図１に示すように、第２タンク２０の右側の貯水部２５Ｒの上方に配置されている。図５に示すように、ポンプ４０の下面からは吸水管４１が下方へ延びており、吸水管４１は、吸水用接続筒部２６の上端部に気密状に嵌合している。吸水用接続筒部２６は、第２タンク２０内に開口する吸水口４２に連通して、上方へ突出している。ポンプ４０の外側面に設けた吐出口（図示省略）には、吐水路５０の上流端が接続されている。
【００２６】
吐水路５０は、図１及び図２に示すように、上流端がポンプ４０の吐出口に接続された第１吐水管５１と、第１吐水管５１の下流端に接続された継手５２と、継手５２の二股に分岐した下流端に接続された左右一対の分岐管５３とから構成されている。分岐管５３の先端部（下流端部）には、夫々、吐水口５４が開口している。
【００２７】
上記便器洗浄タンクＢを備える水洗式大便器Ａは、図３に示すように、便器洗浄タンクＢの他に、便器本体６０、排水接続管７０、及び便座装置８２を備えて構成されている。便座装置８２は、便器本体６０の上面に載置された便座装置本体８３と、便座装置本体８３の前部に回動自在に軸支された便座及び便蓋８４を有している。便座装置本体８３内には、便器洗浄タンクＢのうち便器本体６０よりも上方に突出した第１タンク１０の上端部が収容されている。
【００２８】
便器本体６０は、陶器製であって、便鉢部６１と、この便鉢部６１の下流側に連通した便器排水管部６２と、便鉢部６１を全周に亘って包囲する周壁部６３とを一体に形成したものである。便鉢部６１は上端周縁に形成したリム通水路６４を有している。また、便鉢部６１は、封水面６５よりは下方であって、垂直方向に開口した流出口６６を有している。
【００２９】
便器排水管部６２は、この流出口６６に連続して形成し、後方に向けて斜めに下降する第１下降流路６７、この第１下降流路６７の下流側に連続して形成し、後方に向けて斜めに上昇する上昇流路６８、及びこの上昇流路６８の下流側に連続して形成し、下降する第２下降流路６９を有している。第２下降流路６９は下流端部が垂直下方に向けて延びている。第２下降流路６９の下端には、排水接続管７０の上端が接続されている。排水接続管７０の下端は、床面Ｆに引き出された排水管７１に接続されている。便器排水管部６２と排水接続管７０と排水管７１は、便鉢部６１内の貯留水、便鉢部６１に吐水された洗浄水Ｗ及び汚物を、排出するための排水路７２を構成する。
【００３０】
便器本体６０は、便鉢部６１の封水面６５よりも下方の部分と、第１下降流路６７と、上昇流路６８とによって、封水部７３を形成している。便器本体６０には、封水部７３の下方を覆うように、便器排水管部６２の第１下降流路６７及び上昇流路６８に沿った形状の断熱材７４が取付けられている。これによって、封水部７３の外表面に結露が生じることを防止することができる。
【００３１】
便器本体６０は上面の外周縁から下方に延びる周壁部６３を有している。この周壁部６３は、便器本体６０の上面の外周縁より外側に広がらずに下方に延びており、周壁部６３の下端は、その全周に亘って床面Ｆに接している。便器本体６０の内部には、便鉢部６１の下面における最下端よりも前方の領域と、周壁部６３の左右両側壁部における前端側領域とを繋げた形態の補強壁７５が、一体に形成されている。
【００３２】
また、図５に示すように、便器本体６０の内部には、便器排水管部６２の第２下降流路６９の外面と、周壁部６３の内面とを繋ぐ形態の支持壁部７６が、一体に形成されている。支持壁部７６は、全体としては概ね水平をなし、詳細には周壁部６３から第２下降流路６９に向かって次第に高くなるような緩勾配を有している。この支持壁部７６は、便鉢部６１から片持ち状に突出した形態の第２下降流路６９が、便器本体６０の成形工程で自重により下方へ変形するのを防止するために形成したものである。支持壁部７６には、第２下降流路６９を挟むように配された左右一対の貫通孔７７が形成されている。貫通孔７７には、ポンプ４０の吸水管４１と連結管２９が貫通される。
【００３３】
便器本体６０の内部空間のうち便鉢部６１よりも後方の領域は、後部空間７８となっている。後部空間７８は、左右両側と後側が周壁部６３で区画されているとともに、上方及び下方に開放された形態である。後部空間７８内には、上記した支持壁部７６と、排水路７２を構成する第２下降流路６９及び排水接続管７０と、排水管７１が存在している。後部空間７８は、便器本体６０の内部に形成されたスペースであるから、平面視において便器本体６０の形成領域の範囲内に収まっている。
【００３４】
便器本体６０の内部空間のうち便鉢部６１、第１下降流路６７、上昇流路６８及び断熱材７４よりも下方であって補強壁７５よりも後方の領域は、空間７９となっている。この便鉢部６１の下方の空間７９は、左右両側が周壁部６３で区画され、前側が補強壁７５で区画され、下方に開放されている。便鉢部６１の下方に空間７９が存在するのは、便座の適正な高さと、便鉢部６１内における適正な水位と、封水部７３に貯留される水量等を勘案して便鉢部６１を設計したことによる。空間７９も、後部空間７８と同じく、便器本体６０の内部に形成されたスペースであるから、平面視において便器本体６０の形成領域の範囲内に収まっている。この空間７９と上記の後部空間７８は、前後に並ぶように配置されて互いに連通し、便器洗浄タンクＢを収容するための収容空間８０を構成している。
【００３５】
便器洗浄タンクＢのうち第１タンク１０の上端部を除いた大部分は、収容空間８０内に収容されている。具体的には、第２タンク２０のうち凹部２３が形成されている部分は、便鉢部６１の下方の空間７９内に収容される。凹部２３は、便器排水管部６２の第１下降流路６７及び上昇流路６８に沿って配置された断熱材７４の凸面形状に沿うように凹んだ形状に形成されている。これにより、第２タンク２０のうち凹部２３が形成されている部分が、断熱材７４と干渉しないように配置されるので、便鉢部６１の下方の空間７９が第２タンク２０を収容するためのスペースとして有効活用される。
【００３６】
第２タンク２０のうち凹部２３よりも後方の左右両貯水部２５Ｌ，２５Ｒは、後部空間７８のうち支持壁部７６よりも下方の領域内に収容され、排水路７２（排水接続管７０）の左右両側に配置される。つまり、第２タンク２０の後端部は、切欠部２４を形成したことにより、排水路７２と干渉しないようになっている。収容空間８０に収容された第２タンク２０は、その前端部に設けた固定部材８１と後端部に設けた固定部材（図示省略）を介して、便器本体６０の内面にボルト締めにより固定される。
【００３７】
便器本体６０の第２タンク２０を固定した状態では、図５に示すように、左側の貯水部２５Ｌの上端面が支持壁部７６に対して下から対向し、第２接続管２８が、左側の貫通孔７７内に収容されて上向きに開口する。また、右側の貯水部２５Ｒの上端面が支持壁部７６に対して下から対向し、右側の貯水部２５Ｒの上端面から突出する吸水用接続筒部２６が、右側の貫通孔７７内に収容されて上向きに開口する。
【００３８】
第２タンク２０を便器本体６０内に収容して固定した後、第１タンク１０とポンプ４０が取り付けられる。第１タンク１０は、支持壁部７６の上方から第１接続管１４を第２タンク２０の第２接続管２８に嵌合させるようにして、第２タンク２０に組み付けられる。また、連通管２７は、右側の貫通孔７７を通して右側の貯水部２５Ｒと第１タンク１０とに接続される。さらに、ポンプ４０は、支持壁部７６の上方から吸水管４１を吸水用接続筒部２６に嵌入するようにして、第２タンク２０に組み付けられる。
【００３９】
吐水路５０は、ポンプ４０とオーバーフロー管１７に接続される。吐水路５０の吐水口５４は、便鉢部６１のリム通水路６４に臨むように配置される。第１タンク１０と第２タンク２０内に貯留されている洗浄水Ｗは、第２タンク２０からポンプ４０で吸い上げられ、吐水路５０を通って便鉢部６１内に吐水される。これにより、便鉢部６１内の汚物が排出されて、便鉢部６１内が洗浄される。
【００４０】
本実施例１の便器洗浄タンクＢは、便器本体６０における平面視の範囲内に配置される第１タンク１０と、便器本体６０における平面視の範囲内で第１タンク１０との間に上下に間隔を空けて配置される第２タンク２０と、両タンク１０，２０を連通状態で且つ分離可能に連結し、内部が洗浄水Ｗを流動させる所定長さの連通路３０となっている連結管２９とを備える。この構成の技術的意義は、次の通りである。
【００４１】
便器本体６０の内部には、便座の高さ、便鉢部６１の水位、封水部７３の貯水量、便鉢部６１に接続された排水路７２の配索経路確保等の設計条件により、空間７９がデッドスペースとして存在する。この便鉢部６１の下方の空間７９は、便器洗浄タンクＢを収容するための収容空間８０の一部として有効利用することが考えられる。しかし、便器本体６０の内部には、排水路７２や、排水路７２を構成する第２下降流路６９を支持する支持壁部７６が存在しているので、便器洗浄タンクＢを便器本体６０内に組み付けようとしたときに、排水路７２や支持壁部７６が邪魔になり、その結果、空間７９を最大限に活かすことができなくなることが懸念される。
【００４２】
そこで本実施例１では、排水路７２や支持壁部７６の存在を勘案した上で空間７９の有効利用を図るため、便器洗浄タンクＢを、上下に分離可能な第１タンク１０と第２タンク２０とに分けた上で、この両タンク１０，２０を所定の長さを有する連結管２９で連結する構成とした。そして、支持壁部７６を挟むように第１タンク１０と第２タンク２０を上下に分けて配置することにより、空間７９を含む収容空間８０を便器洗浄タンクＢの収容スペースとして最大限に有効活用することを実現した。また、第１タンク１０と第２タンク２０は、いずれも、便器本体６０における平面視の範囲内に配置されている。したがって、本実施例１の便器洗浄タンクＢは、水洗式大便器Ａの大型化を抑えながら、貯水容量を増大させることが可能である。
【００４３】
また、本実施例１の便器洗浄タンクＢは、第１タンク１０側に設けられて連結管２９を構成する第１接続管１４と、第２タンク２０側に設けられて連結管２９を構成し、第１接続管１４に対して軸方向（上下方向）の相対移動を可能に嵌合される第２接続管２８とを備えている。この構成によれば、第１タンク１０と第２タンク２０を上下方向に相対移動させることができるので、便器本体６０が製造工程において寸法誤差を生じていても、第１タンク１０と第２タンク２０を便器本体６０に対して個別に固定することができる。
【００４４】
また、本実施例１の便器洗浄タンクＢは、第１タンク１０が、第２タンク２０よりも上方であって便鉢部６１よりも後方の領域に配置され、第１タンク１０に機能部材（吸排気部１５とフロートスイッチ１６）が取り付けられている。機能部材が取り付けられている第１タンク１０を、第２タンク２０よりも上方であって便鉢部６１よりも後方の領域に配置したことにより、機能部材に対してメンテナンス等を行う場合に、作業を行い易くなっている。
【００４５】
また、本実施例１の便器洗浄タンクＢは、上下２つのタンク１０，２０に分割し、第１タンク１０を洗浄水Ｗの給水路８５に接続し、第２タンク２０を、便鉢部６１に向けて洗浄水Ｗを吐水する吐水路５０に接続し、両タンク１０，２０を連通路３０を介して直列に連結し、第１タンク１０内の洗浄水Ｗを第２タンク２０内の洗浄水Ｗと一緒に便鉢部６１側へ流出させるようになっている。このように２つのタンク１０，２０を直列に連結する構造では、相互のタンク１０，２０間で空気が移動することに起因する異音の発生が懸念される。
【００４６】
異音の発生形態としては、次のようなものがある。本実施例１では、連通路３０を通って第１タンク１０内の洗浄水Ｗが第２タンク２０へ流出するときの単位時間当たりの流量（以下、単に「流量」という）が、第１タンク１０に洗浄水Ｗが流入するときの流量よりも少ない。したがって、便鉢部６１への吐水が完了した後に、便器洗浄タンクＢ内に洗浄水Ｗを貯留する過程では、第１タンク１０から第２タンク２０に流出する洗浄水Ｗによって連通路３０が封止され、第２タンク２０内の空気が閉じこめられた状態となる。そのため、第２タンク２０内の水位の上昇に伴い、第２タンク２０内に閉じ込められた空気が、洗浄水Ｗの流れに逆らって連通路３０内を第１タンク１０側へ向かって上昇し、このときにボコボコという異音が発生する虞がある。
【００４７】
そこで、本実施例１の便器洗浄タンクＢは、洗浄水Ｗの給水路８５に接続される第１タンク１０と、便鉢部６１に向けて洗浄水Ｗを吐水する吐水路５０に接続される第２タンク２０と、両タンク１０，２０を直列に連結する連通路３０と、一方の端部（上端）が第１タンク１０における最大貯留時の水位よりも高い位置に開口し、他方の端部（下端）が第２タンク２０と連通するように開口する通気路３２とを備える構成とした。この構成によれば、次述する作用により、便器洗浄タンクＢに洗浄水Ｗを供給する際の異音の発生を防止できる。
【００４８】
便器洗浄タンクＢ内に洗浄水Ｗを供給する過程では、第１タンク１０への洗浄水Ｗの給水流量が、連通路３０を通過して第１タンク１０から第２タンク２０に流出する洗浄水Ｗの流量よりも多い。そのため、図７に示すように、連通路３０のうち通気管３１以外の領域（連通路３０における洗浄水Ｗの流動領域）が、第１タンク１０から第２タンク２０に流入する洗浄水Ｗによって塞がれた状態となる。しかし、この状態で第２タンク２０内の水位が上昇しても、第２タンク２０内の空気は、通気路３２を通って第１タンク１０の上端部へ排出される。また、第１タンク１０内の空気は、吸排気部１５を通って大気中（第１タンク１０外）へ排出される。
【００４９】
これにより、図８に示すように、第２タンク２０内の水位が上昇しても、第２タンク２０内の空気は、閉じ込められた状態とはならず、大気圧に保たれる。したがって、第２タンク２０内の空気が、連通路３０のうち通気管３１以外の領域において、洗浄水Ｗの流れに逆らって第１タンク１０側へ移動する、ということはない。これにより、第２タンク２０内の空気が連通路３０を通って第１タンク１０側へ移動することに起因する異音の発生が防止される。この異音の防止は、図９に示すように第１タンク１０と第２タンク２０の両方が満水状態に至るまで、継続する。
【００５０】
また、２つのタンク１０，２０を直列に連結した場合において相互のタンク１０，２０間で空気が移動することに起因する異音発生の形態としては、次のようなものもある。洗浄水Ｗは非圧縮性流体であり、連通路３０の断面積は第２タンク２０内に開口するポンプ４０の吸水口４２の断面積よりも小さいので、第１タンク１０と第２タンク２０に貯留されている洗浄水Ｗが便鉢部６１側へ流出する際には、第２タンク２０から流出する洗浄水Ｗの流速よりも、連通路３０を通過する洗浄水Ｗの流速の方が速くなる。したがって、便器洗浄のために両タンク１０，２０から便鉢部６１側へ流出する洗浄水Ｗの流量が大流量である場合には、連通路３０における洗浄水Ｗの流出の勢いにより、第１タンク１０の水面が連通路３０の近傍で局所的に下がる。すると、第１タンク１０内の空気が第１タンク１０内の洗浄水Ｗと一緒に連通路３０に引き込まれ、このときに、ボコボコという異音が発生することも懸念される。
【００５１】
この対策手段として、上記した通気路３０が効果を発揮する。図９に示すように便器洗浄タンクＢ内に洗浄水Ｗが貯留されている状態から、その洗浄水Ｗが便鉢部６１へ吐水される際には、その吐水の勢いにより、図１０に示すように、第２タンク２０に連通している通気路３２内の洗浄水Ｗの水位が、第１タンク１０の水位よりも低くなり、図１１に示すように、第１タンク１０内の空気が、通気路３２を通して第２タンク２０内に引き込まれる。第１タンク１０内は、吸排気部１５を介して大気中と連通しているので、第２タンク２０内に引き込まれた空気の圧力も大気圧に保たれる。
【００５２】
したがって、図１１に示す状態から洗浄水Ｗの吐水が進んで第２タンク２０の水位が下がっていく過程では、図１２に示すように、第１タンク１０内の空気が通気路３０を通して第２タンク２０内に流入するので、第２タンク２０の洗浄水Ｗの単位時間当たりの流出量が多くても、連通路３０における洗浄水Ｗの流速は速くならずに済む。これにより、連通路３０における洗浄水Ｗの流出の勢いによって第１タンク１０内の空気が連通路３０に引き込まれる、という虞がない。したがって、第１タンク１０内の空気が連通路３０に引き込まれることに起因する異音の発生が防止される。
【００５３】
また、本実施例１の便器洗浄タンクＢは、第１タンク１０が第２タンク２０よりも上方に配置され、連通路３０が第１タンク１０の底面に開口されている。この構成によれば、第１タンク１０内に貯留されている洗浄水Ｗが、全て第２タンク２０を経由して便鉢部６１側へ吐水されるので、高い洗浄効果を期待することができる。
【００５４】
また、本実施例１の便器洗浄タンクＢは、通気路３２の下端部（少なくとも一部）が連通路３０内に収容されている。この構成によれば、通気路３２を連通路３０の外部に配置して両タンク１０，２０間を連通させた場合に必要となる通気路３２用のシール構造が不要となる。したがって、部品点数の削減を図ることができるとともに、構造の簡素化を図ることができる。
【００５５】
＜他の実施例＞
本発明は上記記述及び図面によって説明した実施例に限定されるものではなく、例えば次のような実施例も本発明の技術的範囲に含まれる。
（１）上記実施例１では、便器洗浄タンクが、第１タンクと第２タンクの２つのタンクを連結して構成されているが、便器洗浄タンクは、３つ以上のタンクを連結して構成されていてもよい。
（２）上記実施例１では、便器洗浄タンクが、第１タンクと第２タンクを上下に並べて配置する形態としたが、便器洗浄タンクは、第１タンクと第２タンクが水平方向（例えば、前後や左右）に並ぶような位置関係で配置してもよい。
（３）上記実施例１では、連結管を構成する２つの接続管が、第１タンク又は第２タンクに一体に形成されていたが、２つの接続管のうち少なくとも一方の接続管は、第１タンク又は第２タンクとは別体の部品であってもよい。
（４）上記実施例１では、連結管を構成する第１接続管と第２接続管が軸方向に相対移動可能に嵌合されるようにしたが、第１接続管と第２接続管は相対移動できないように嵌合されていてもよい。
（５）上記実施例１では、第１タンクと第２タンクが連通路において分離可能となっているが、第１タンクと第２タンクは、一旦、連結した後に分離できないようになっていてもよい。
【符号の説明】
【００５６】
Ａ…水洗式大便器
Ｂ…便器洗浄タンク
Ｗ…洗浄水
１０…第１タンク
１４…第１接続管
１５…吸排気部（機能部材）
１６…フロートスイッチ（機能部材）
２０…第２タンク
２８…第２接続管
２９…連結管
３０…連通路
６０…便器本体
６１…便鉢部
【図１】
2014114630.tif 000003
【図２】
2014114630.tif 000004
【図３】
2014114630.tif 000005
【図４】
2014114630.tif 000006
【図５】
2014114630.tif 000007
【図６】
2014114630.tif 000008
【図７】
2014114630.tif 000009
【図８】
2014114630.tif 000010
【図９】
2014114630.tif 000011
【図１０】
2014114630.tif 000012
【図１１】
2014114630.tif 000013
【図１２】
2014114630.tif 000014
【図１３】
2014114630.tif 000015